(57)【要約】【課題】  本発明は、作業者Ｗの肩及び胸にかかる河川塵芥のいずれの荷重からも肩及び胸を保護することができ、且つ、肩及び胸に河川水が付着することを防止し、その河川水を捕集することができる保護具１を提供する。【解決手段】  作業者の肩から胸までを被う保護具本体２と、保護具本体２に付着する河川水を保護板４を伝って、保護板４の縁に設けられた吸収部材８を着脱自在に取り付けた保持部９により、捕集可能な捕集手段と、保護具本体２を作業者の肩及び胸に装着する装着手段３とを備えることを特徴とする。【選択図】  図３
2010174386.tif 000002
【特許請求の範囲】
【請求項１】
作業者の肩を被う保護具本体と、保護具本体を作業者に装着する装着手段とを備える保護具において、
保護具本体は、肩から胸にまで延設されており、且つ、保護具本体に付着する液状物質を捕集可能な捕集手段を備えることを特徴とする保護具。
【請求項２】
捕集手段は、液状物質を吸収可能な吸収部材を保護具本体の少なくとも一部の縁に備える請求項１に記載の保護具。
【請求項３】
吸収部材が配される保護具本体の少なくとも一部の縁は、吸収部材を着脱自在に保持するための保持部を備える請求項２に記載の保護具。
【請求項４】
保護具本体の形状が幅方向に略線対称である請求項１〜３のいずれか１項に記載の保護具。
【発明の詳細な説明】
【技術分野】
【０００１】
本発明は、作業者の肩を保護する保護具に関し、特に、荷重から作業者の肩を保護する保護具に関する。
【背景技術】
【０００２】
従来、作業者の肩を保護するための保護具として、工事現場などで使用されている肩当てがあった。この肩当ては、鋼条や鋼管等の重量物を肩に担ぐことで、重量物の荷重が肩にかかって作業者の肩に重量物が食い込むことを防止するものである。具体的には、この肩当ては、作業者の肩を被い、弾性変形する材質により製作されたパッド部と、パット部を肩に装着するための装着具とから構成され、作業者の肩に装着して重量物を担ぐと、重量物の荷重を受けてパット部が弾性変形するため、作業者の肩に重量物が食い込むことを防止できるようになっている（特許文献１参照）。
【先行技術文献】
【特許文献】
【０００３】
【特許文献１】特開２００４−９１９５１号公報
【発明の概要】
【発明が解決しようとする課題】
【０００４】
この肩当ては、重量物の荷重が上方からかかる作業には有効であるが、そうでない作業は不向きである。例えば、一般的な作業ではないかもしれないが、水力発電所の取水口における塵芥除去作業がそうである。水力発電所（水路式やダム水路式）は、発電に利用する河川水を取水するために、河川や池、湖沼、ダムなどから河川水を発電所まで引き込む水路と、その河川水を発電所内に取水する取水口とを備えており、その取水口の入り口には、上流より漂着した流木や枝葉等の河川塵芥の流入を防ぐために、櫛状のスクリーンが備えられているが、このスクリーンに河川塵芥が溜まると、河川塵芥を熊手などの作業用具を使用して掻き揚げる塵芥除去作業を行わなければならない。
【０００５】
この塵芥除去作業は、具体的には、作業者が取水口の略真上から作業用具を肩若しくは胸に当てて、スクリーンに溜まった河川塵芥などの塵芥を掻き揚げる作業である。よって、この塵芥除去作業は、作業者が前屈みの状態で作業を行えば、肩に作業用具が当たるが、（小さく）前傾姿勢の状態で作業を行えば、胸に作業用具が当たる。すなわち、この塵芥除去作業は、作業者の姿勢により、作業者に当たる部位が異なるものである。しかし、上記従来の肩当ては、肩だけを保護できる保護具であり、胸を保護することはできない。
【０００６】
また、スクリーンに溜まった塵芥を掻き揚げるときに、作業用具の一部が河川水などの液状物質に浸かる場合がある。このときは、塵芥を掻き揚げるとともに、液状物質に浸かった部分が液状物質を付着したままの作業用具が引き上げられるため、液状物質が付着した作業用具の部分が肩や胸に当たると、液状物質が作業服に付着して、濡れたり、汚れたりする。また、肩当てを装着していたとしても、肩当ての表面を伝って肩当てから垂れることで、作業服や作業靴に付着して、濡れたり、汚れたりすることが考えられる。
【０００７】
よって、本発明は、かかる事情に鑑み、作業者の肩及び胸にかかるいずれの荷重からも肩及び胸を保護することができ、且つ、肩及び胸に液状物質が付着することを防止し、その液状物質を捕集することができる保護具を提供することを課題とする。
【課題を解決するための手段】
【０００８】
本発明に係る保護具は、作業者の肩を被う保護具本体と、保護具本体を作業者に装着する装着手段とを備える保護具において、保護具本体は、肩から胸にまで延設されており、且つ、保護具本体に付着する液状物質を捕集可能な捕集手段を備えることを特徴とする。
【０００９】
かかる構成によれば、作業者は、保護具を装着することで、保護具本体に被われた肩から胸までにかかる作業用具や作業対象物（以下、総称して「作業用具等」という）の荷重から肩と胸を保護することができる。また、肩や胸に当てる作業用具等に液状物質が付着していたとしても、保護具本体の捕集手段によって、その付着した液状物質を捕集することができる。具体的には、保護具本体に付着した液状物質は、捕集手段に集められ、保護具本体から作業者の作業服や作業靴に垂れることで、濡れたり、汚れたりすることを防止できる。
【００１０】
また、本発明に係る捕集手段は、液状物質を吸収可能な吸収部材を保護具本体の少なくとも一部の縁に備えることができる。かかる構成によれば、捕集手段を保護具本体の少なくとも一部の縁に備えることで、作業用具等を肩から胸に当てることを制限されることなく、作業用具等に付着した液状物質も保護具本体の一部の縁に捕集することができる。また、吸収部材は、保護具本体の縁に集められた液状物質を吸収することができ、作業者の動きによって、保護具本体が揺さぶられても、液状物質が飛散することを防止することができる。
【００１１】
また、そのような場合、吸収部材が配される保護具本体の少なくとも一部の縁は、吸収部材を着脱自在に保持するための保持部を備えることができる。かかる構成によれば、保持部が備えられた縁に吸収部材を着脱自在に取り付けることができる。
【００１２】
また、そのような場合、保護具本体の形状が幅方向に略線対称であることができる。かかる構成によれば、作業者の右肩及び左肩のいずれにも装着することができ、作業者が作業用具等を当てる方の肩に合わせて装着することができる。
【発明の効果】
【００１３】
以上の如く、本発明に係る保護具によれば、作業者の肩及び胸にかかるいずれの荷重からも肩及び胸を保護することができ、且つ、肩及び胸に液状物質が付着することを防止し、その液状物質を捕集することができるという優れた効果を奏する。
【図面の簡単な説明】
【００１４】
【図１】本発明の第一実施形態に係る保護具１を作業者Ｗが装着した状態の正面図を示す。
【図２】同実施形態に係る保護具１を作業者Ｗが装着した状態の背面図を示す。
【図３】同実施形態に係る保護具本体２の断面図であって、（ａ）は、図１及び図２のａ−ａ線断面図、（ｂ）は、（ａ）のａ部拡大図、及び、（ｃ）は、図１のｂ−ｂ線断面図、を示す。
【図４】同実施形態に係る保護具１を作業者Ｗが装着し、さらに、熊手Ｔの柄を肩に当てた状態の側面図を示す。
【図５】同実施形態に係る保護具１を作業者Ｗが装着し、さらに、熊手Ｔの柄を胸に当てた状態の側面図を示す。
【図６】本発明の第二実施形態に係る保護具本体２ａの断面図であって、（ａ）は、図１及び図２のａ−ａ線断面図、（ｂ）は、（ａ）のａ部拡大図、及び、（ｃ）は、図１のｂ−ｂ線断面図、を示す。
【発明を実施するための形態】
【００１５】
以下、第一実施形態に係る保護具１について、図１〜図５を参酌しつつ、説明する。なお、第一実施形態においては、水路式やダム水路式の水力発電所で、取水口に設けられている防塵用のスクリーンに溜まった河川塵芥を除去する塵芥除去作業を例に説明する。
【００１６】
＜第一実施形態＞
まず、第一実施形態に係る保護具１の構成について、説明する。保護具１は、作業者Ｗの肩から胸までを被う合成樹脂やポリウレタン、プラスチック製の保護具本体２と、保護具本体２を作業者Ｗの肩及び胸に装着する装着手段３とを備えている。
【００１７】
保護具本体２は、肩から胸まで沿うように湾曲した平板状部材である保護板４と、保護板４の肩と接する部分の縁に設けられた窪み５と、保護板４の裏面に貼付された緩衝材６と、保護板４の表面に設けられた突起７と、保護具本体２に付着する河川水を捕集可能な捕集手段とを備えている。
【００１８】
保護板４は、平板状部材であって、作業者Ｗの肩に沿って円弧状に曲げられた形状をしており、肩から胸にまで延設されている。そして、保護板４は、肩から胸に向かって、幅が狭くなるようになっている。すなわち、作業者Ｗが保護具１を肩に装着した状態で正面から見ると、下方を短辺とする略逆台形状をしている。なお、肩から胸に向かうほど幅を狭くしているのは、熊手Ｔの柄があまり接触しない部分であるためである。
【００１９】
また、保護板４の形状は、幅方向に略線対称であり、具体的には、作業者Ｗが保護具１を装着した状態で、左右対称となるようになっている。これによって、例えば、保護具１は、例えば、作業者Ｗの利き手に合わせて、装着する肩を変えることができ、且つ、右肩及び左肩のいずれに装着するにおいても、肩から胸までの被う範囲は同じにすることができる。以下、保護具１を作業者Ｗの右肩に装着する例として、説明する。
【００２０】
ここで、保護板４は、肩に沿って円弧状に曲げられているが、作業者Ｗの背中には回り込まないようになっている。これは、作業者Ｗの体形に制約されずに保護具１を装着することができるようにするためである。具体的には、胸板が厚い作業者Ｗであっても、薄い作業者Ｗであっても、保護板４は、胸板の厚さに関係なく装着することができるからである。
【００２１】
また、保護板４は、硬質な材料でできており、熊手Ｔの柄を当てても、熊手Ｔが掻き揚げる河川塵芥の荷重によって、変形することがなく、作業者Ｗの肩若しくは胸に熊手Ｔの柄が食い込むこともない。そして、保護具本体２にかかる河川塵芥の荷重は、保護板４の全体に分散させられるため、肩若しくは胸にかかる作業者Ｗの負担は、軽減される。
【００２２】
また、保護板４は、表面が滑らかな、滑りやすい材質で製作されており、熊手Ｔを保護板４を滑らせながら河川塵芥を掻き揚げることができ、塵芥除去作業を容易にすることができる。これは、従来、作業服に直接、熊手Ｔを当てていたことから比較すると、作業服の摩擦による抵抗を受けずにすむためである。
【００２３】
また、保護板４は、少なくとも表面に撥水性を有しており、熊手Ｔの柄を介して河川水が付着しても、内側に染み込まないようになっている。これによって、保護具本体２で被われた作業服、肩、若しくは、胸に河川水が染み込むことで付着することを防止できる。
【００２４】
窪み５は、保護板４の首に当たる縁を略半円形に切り抜かれたものである。これによって、窪み５に首を当てることで、保護具本体２を体の内側に寄せることができる。
【００２５】
緩衝材６は、作業者Ｗの肩及び胸が接触する保護板４の裏面に貼付している。よって、保護具本体２の一方の面にかかった河川塵芥の荷重が緩衝材６にて吸収することができ、作業者Ｗの肩若しくは胸にかかる負担を軽減することができる。
【００２６】
突起７は、保護板４の略長手方向に、具体的には、保護具１の装着時において、略上下方向に連続して複数備えられている。これは、熊手Ｔの柄を保護具本体２に当てるときに、熊手Ｔの柄が横滑りすることを防止するためのものである。第一実施形態の突起７は、３本備えている。そして、第一実施形態の突起７は、保護板４と一体的に形成されている。
【００２７】
捕集手段は、保護具本体２の表面に付着した河川水を吸収可能な吸収部材８と、保護板４の少なくとも一部の縁に設けられる保持部とを備えている。具体的には、保持部は、４つの縁に設けられており、保護板４を作業者Ｗに装着した状態で正面から見て、下側の縁（保持部９）と、右側の縁（保持部１０）と、左側の縁（保持部１１）と、上側の縁（保持部１２）とを備える。以下、保護具本体２に対して右側及び左側とは、作業者Ｗが保護具１を装着した状態で正面から見たときの方向とする。
【００２８】
吸収部材８は、保持部９の長さに略相当する円柱形の吸水性のスポンジである。
【００２９】
保持部９、１０、１１、１２は、保護板４の縁に設けられている。そして、保持部９、１０、１１、１２の形状は、図３に示すように、断面が略半円弧状の形状をしている。ここで、保持部９は、吸収部材８を着脱自在に装着することができる。具体的には、保持部９は、吸収部材８の断面形状より若干小さい断面形状をしており、吸収部材８を圧縮して挿入することで、取り付けることができる。また、保持部９は、吸収部材８を固定しておらず、外側から引っ張ることで、取り外すこともできる。よって、保持部９は、吸収部材８の吸収許容量を超えると、吸収部材８を取り外して、乾燥若しくは圧縮して、吸収した河川水を排出することができる。そして、吸収許容量が回復した吸収部材８を保持部９に取り付けることで、何度も使用することができる。
【００３０】
また、保持部１０、１１、１２は、吸収部材８を取り付けていない（但し、保持部１０、１１、１２の一部あるいは全部に吸収部材８を取り付けるようにすることもできる）が、保護具本体２に付着した河川水が保護具本体２を伝って保持部９を備えた縁以外の縁から垂れ落ちないように設けたものでもある。
【００３１】
装着手段３は、保護具本体２の上端及び下端に備えた接続金具１３、１３、１４、１４と、その上端の接続金具１３とその下端の接続金具１４とをつなぐ長さの異なる２本の接続紐１５、１６とを備えている。短い接続紐１５は、一端を左側の接続金具１３に接続し、他端を右腕の腋の下を通して、左側の接続金具１４に接続する。また、長い接続紐１６は、一端を右側の接続金具１３に接続し、背中を通して、左腕の腋の下を通し、右側の接続金具１４に接続する。ここで、接続紐１５、１６の長さが異なるのは、接続紐を通す経路が異なるためである。
【００３２】
第一実施形態に係る保護具１の構成は以上の通りであり、次に、第一実施形態に係る保護具１の使用方法について説明する。
【００３３】
まず、保護具１の装着方法について、具体的には、作業者Ｗの右肩及び右胸に装着する方法について、図１〜５を参酌しつつ、説明する。まず、図２に示す、左側の接続金具１３に接続紐１５を、右側の接続金具１３に接続紐１６を接続する。そして、図１に示す、窪み５に首を当たるように保護具本体２を右肩及び右胸に合わせる。次に、接続紐１５を右腕の腋の下を通して、図１に示す、左側の接続金具１４に接続する。また、接続紐１６を背中を通して、左腕の腋の下を通し、図１に示す、右側の接続金具１４に接続する。これで、保護具１の装着は完了である。次に、保護具１を使用した塵芥除去作業について、説明する。
【００３４】
まず、塵芥除去作業に使用する熊手Ｔについて説明する。熊手Ｔは、河川塵芥を引っ掛けて、掻き揚げるための複数の爪を有しており、爪の一端を束ねて柄の先端に取り付けたものである。そして、それぞれの爪は、先端が直角に曲がっており、この部分で河川塵芥を引っ掛けて、掻き揚げる部分である。柄は、爪が取水口のスクリーンに届く程度の長さのものを使用する。
【００３５】
次に、塵芥除去作業について、説明する。塵芥除去作業は、まず、取水口のスクリーンに河川塵芥が溜まっているところに、熊手Ｔを下ろして、熊手Ｔの爪に河川塵芥を引っ掛ける。そして、保護具１で熊手Ｔの柄を支えながら、熊手Ｔの柄を滑らしながら、掻き揚げる。よって、作業者が前屈みの状態で作業を行えば、図４に示すように、肩に作業用具が当たるが、（小さく）前傾姿勢の状態で作業を行えば、図５に示すように、胸に作業用具が当たり、熊手Ｔで掻き揚げている河川塵芥の重量が保護具１を介して肩若しくは胸にかかることになる。しかし、保護具１により、肩若しくは胸に熊手Ｔの柄が食い込むことはなく、河川塵芥の荷重が保護具１の全体に分散されるため、作業者Ｗの負担が従来と比べて軽減される。
【００３６】
また、取水口に設けられているスクリーンは、取水口の全体に渡って櫛状に取り付けられるものであるため、河川塵芥が底の方に溜まっておれば、熊手Ｔを底の方まで降ろして作業する。熊手Ｔの柄の一部を水面に浸けるため、河川水に浸かった熊手Ｔの柄の部分は、河川水が付着した状態で、熊手Ｔを掻き上げることになる。よって、保護具１には、河川水が付着した熊手Ｔの柄を当てることになり、保護具本体２に河川水が付着する。
【００３７】
しかし、保護具本体２は、保護板４が撥水性を有しているため、河川水を弾くため、河川水が保護板４に染み込んで、作業服や肩、胸などが濡れたり、汚れたりすることはない。また、保護具本体２に付着した河川水は、保護具本体２を伝って、保護具本体２の縁に設けられた保持部９、１０、１１、１２に捕集される。このとき、保持部１０、１１、１２に伝った河川水は、保持部１０、１１、１２内を伝って、保持部９に挿入された吸収部材８まで伝っていく。そして、直接、保持部９に伝った河川水と共に、吸収部材８に吸収される。よって、保護具１は、作業者Ｗの動きに対して、保持部９、１０、１１、１２に伝った河川水を飛散させることなく、捕集することができる。よって、作業者Ｗは、保護具本体２に付着した河川水によって、作業服や作業靴が濡れたり、汚れたりすることはない。
【００３８】
また、何度も塵芥除去作業を繰り返して、吸収部材８が大量の河川水を吸収することによって、吸収許容量を超えても、吸収部材８を取り換えることができ、圧縮することなどで吸収した河川水を吸収部材８から抜くことで、吸収許容量を回復させることができる。そして、その回復させた吸収部材８は、再び、保持部９に取り付けることができる。よって、長時間に及ぶ塵芥除去作業においても、充分使用できる。
【００３９】
従って、第一実施形態に係る保護具１は、塵芥除去作業において、河川塵芥の荷重が熊手Ｔの柄を介して、保護具１にかかっても、肩及び胸に係る河川塵芥の荷重は、保護具本体２の全体に分散されるため、作業者Ｗに対する負担を低減することができる。さらに、塵芥除去作業において、河川水などが熊手Ｔの柄を介して、保護具１に付着しても、保護具１の縁に設けられた保持部９、１０、１１、１２と吸収部材８とで捕集することにより、保護具本体２から河川水が垂れることで、作業服や作業靴が濡れたり、汚れたりすることはない。第一実施形態についての説明は、以上である。
【００４０】
次に、第二実施形態に係る保護具１ｂについて、図６を参酌しつつ、説明する。なお、第二実施形態に係る保護具１ｂは、第一実施形態に係る保護具１の捕集手段を変更したものであるため、捕集手段について、主に説明し、第一実施形態と同様の部分については、同一の符号を付して、説明を省略する。
【００４１】
＜第二実施形態＞
まず、捕集手段は、第一実施形態と同様に、吸収部材８ａと、保持部９ａ、１０ａ、１１ａ、１２ａとを備えている。そして、吸収部材８ａは、保持部９ａ、１０ａ、１１ａの長さを合わせた長さに略相当する角柱形の吸水性のスポンジである。
【００４２】
保持部９ａ、１０ａ、１１ａ、１２ａは、保護板４の縁に設けられている。そして、保持部９ａ、１０ａ、１１ａ、１２ａは、図６に示すように、断面が略コの字状の形状をしている。そして、保持部９ａ、１０ａ、１１ａは、吸収部材８ａを着脱自在に装着することができる。具体的には、保持部９ａ、１０ａ、１１ａは、吸収部材８ａの断面形状より若干小さい断面形状をしており、吸収部材８ａを圧縮して挿入することで、取り付けることができる。また、保持部９ａ、１０ａ、１１ａは、吸収部材８ａを固定しておらず、外側から引っ張ることで、取り外すこともできる。よって、保持部９ａ、１０ａ、１１ａは、吸収部材８ａの吸収許容量を超えると、吸収部材８ａを取り外して、乾燥若しくは圧縮して、吸収した河川水を排出することができる。そして、吸収許容量が回復した吸収部材８ａを保持部９ａ、１０ａ、１１ａに再び取り付けることで、何度も使用することができる。
【００４３】
これにより、塵芥除去作業において想定される保護具本体２に付着する河川水の量に合わせて、吸収部材８ａと保持部９ａ、１０ａ、１１ａの形状を設計することで、吸収部材８ａの取り替える頻度を減らすことができる。第二実施形態の説明は、以上である。
【００４４】
なお、本発明に係る保護具は、上記実施形態に限定されるものではなく、本発明の要旨を逸脱しない範囲内において種々変更を加え得ることは勿論である。
【００４５】
例えば、上記実施形態に係る吸収部材について、取り付ける保持部の長さを合わせた長さとする例について説明したが、これに限定されるものではなく、取り付ける各保持部の長さにあった複数の吸収部材であってもよく、また、保護具本体の縁の形状に加工された略コの字形の吸収部材であってもよい。
【００４６】
また、上記実施形態に係る捕集手段は、吸収部材を保持部に着脱自在に取り付けたものであったが、これに限定されるものではなく、接着剤等で保持部若しくは保護具本体の縁直接に固定するものであってもよい。
【００４７】
また、上記実施形態に係る保持部においては、円弧状やコの字形をしていたが、これに限定されるものではなく、Ｌ字状の形状で吸収部材を保持するための突起が複数取り付けられたものであってもよい。
【００４８】
また、上記実施形態に係る吸収部材においては、スポンジであったが、これに限定されるものではなく、吸水性を有する布や綿、紙などであってもよい。
【００４９】
また、上記実施形態に係る保護具本体の突起７においては、上下方向に３本としたが、これに限定されるものではなく、外接する部材が横滑りしなければよく、何本であってもよい。また、保護具本体に突起７を設ける例について説明したが、これに限定されるものではなく、突起の代わりに溝を設けるものであってもよい。
【００５０】
また、上記実施形態に係る保護板４は、表面を滑りやすい材質としたが、これに限定されるものではなく、保護板４の表面にローラーを多数取り付けて、このローラーの上に熊手Ｔの柄を滑らせるようにしてもよい。
【００５１】
また、上記実施形態に係る接続紐１５、１６においては、異なる長さの紐としたが、これに限定されるものではなく、接続紐１６の長さと同じ２本の接続紐として、一方の接続紐を弛ませた状態にしてもよい。また、接続紐１５、１６は、ゴムのような伸縮自在な紐であってもよい。
【００５２】
また、上記実施形態に係る装着手段３においては、特に限定されるものではなく、マジックテープ、フック、サスペンダー金具やクリップであってもよい。また、一方を接着して、他方、特に下方のみを着脱自在とするものであってもよい。
【００５３】
また、上記実施形態に係る保護具を用いる塵芥除去作業について、水路式やダム水路式の水力発電所におけるスクリーンに溜まった河川塵芥を例として説明したが、これに限定されるものではなく、河川水を利用する施設、具体的には、水力・火力・原子力等の発電所、浄水場、雨水ポンプ場において、取水口に設けられた河川塵芥の流入を防止する装置、機械、及び、器具に溜まった河川塵芥を除去する塵芥除去作業や、海水を利用する施設、具体的には、水力・火力・原子力等の発電所において、取水口に設けられた海洋浮遊物や海洋生物等の海洋塵芥の流入を防止する装置、機械、及び、器具に溜まった海洋塵芥を除去する塵芥除去作業を含むものであってもよい。
【００５４】
また、上記実施形態に係る塵芥除去作業にて保護具に付着した液状物質について、河川水を例として説明したが、これに限定されるものではなく、河川水、海水、泥、ヘドロ、及び、藻などであってもよい。
【符号の説明】
【００５５】
１、１ａ…保護具、２…保護具本体、３…装着手段、４…保護板、５…窪み、６…緩衝材、７…突起、８、８ａ…吸収部材、９、９ａ…（下側の縁の）保持部、１０、１０ａ…（右側の縁の）保持部、１１、１１ａ…（左側の縁の）保持部、１２、１２ａ…（上側の縁の）保持部、１３…（上端の）接続金具、１４…（下端の）接続金具、１５…（短い）接続紐、１６…（長い）接続紐、Ｔ…熊手、Ｗ…作業者
【図１】
2010174386.tif 000003
【図２】
2010174386.tif 000004
【図３】
2010174386.tif 000005
【図４】
2010174386.tif 000006
【図５】
2010174386.tif 000007
【図６】
2010174386.tif 000008